(57)【要約】      （修正有）【課題】上側ハウジングを開いたときの衝撃による粉砕機各部の組付け精度への悪影響を抑制することができる粉砕機を提供する。【解決手段】粉砕機は、上側ハウジング２０と、この上側ハウジング２０を開閉自在に支持する下側ハウジング２２とを備えており、架台部１３上に載置される。スプルー・ランナー等の対象物は、上側ハウジング２０に設けられた櫛歯状の固定刃と、下側ハウジング２２に配置された回転軸３６に設けられた櫛歯状の細粉砕回転刃及び粗粉砕回転刃とによって粉砕される。他方、架台部１３の上部には、上側ハウジング２０を開いたときにそれが当接する支持棒６０が立設されている。これにより、開状態となった上側ハウジング２０をこの支持棒６０によって受け止めることができるため、上側ハウジング２０を開いたときの衝撃が粉砕機に直接伝わりにくくなる。【選択図】図８
0003230098.tif 000002
【実用新案登録請求の範囲】
【請求項１】
対象物を粉砕する粉砕機であって、
上側ハウジングと、前記上側ハウジングを開閉自在に支持する下側ハウジングと、前記下側ハウジングに回転自在に支持された回転軸と、前記上側ハウジングに配置された固定刃と、前記回転軸に装着され、前記固定刃と協働して対象物を粉砕する回転刃と、を備える本体部と、
前記本体部が載置されるベース部に設けられ、前記上側ハウジングを開いたときに該上側ハウジングを受け止める支持部と、
を備えることを特徴とする粉砕機。
【請求項２】
前記支持部を支持棒で構成し、この支持棒の先端部に弾性部材が装着されていることを特徴とする請求項１に記載の粉砕機。
【考案の詳細な説明】
【技術分野】
【０００１】
本考案は、樹脂成形によって生じたスプルー・ランナー等の対象物（被粉砕物ないし被処理物）を粉砕する粉砕機に関する。
【背景技術】
【０００２】
かかる従来技術として特許文献１に記載の従来技術がある。この従来技術に記載の粉砕機は、上側ハウジングが支持ピンを中心に下側ハウジングに揺動自在に設けられているとともに、上側ハウジングに配置された櫛歯状の固定刃と、下側ハウジングに設けられた細粉砕回転刃及び粗粉砕回転刃とが協働してスプルー・ランナー等の対象物を粉砕するようになっているものである。
【０００３】
かかる固定刃と細粉砕回転刃及び粗粉砕回転刃との協働によって対象物を粉砕するには固定刃と両回転刃の隙間を適正な間隔に維持することが極めて重要である。かかる隙間を適正に維持できなければ、対象物の粉砕に支障を来たしたり、場合によっては固定刃と細粉砕回転刃又は粗粉砕回転刃とが接触して動作不良や破損の原因になったりするおそれがあるからである。
【０００４】
他方、この種の粉砕機は、粉砕の結果生じた微粉や砕片が各所に付着・残留するため、定期的に清掃やメンテナンスを行う必要がある。このような微粉や砕片は、各刃の周囲、櫛歯状の歯と歯の間、部品同士の隙間、粗粉砕されただけの対象物の排出を防止するカバーケースの内側など、様々な箇所に付着・残留するため、粉砕機の内部を清掃するには、固定刃及び両回転刃を含む各部品を取り外して分解清掃する必要があった。そして、清掃後に各部品をもと通り組み立て直すことになるが、その際、上述した理由により、固定刃と細粉砕回転刃及び粗粉砕回転刃との隙間が適正な間隔になるように組み立てる必要があるため、厳格な組付け精度が求められる。
【０００５】
このように、この種の粉砕機では、固定刃と細粉砕回転刃及び粗粉砕回転刃との隙間寸法やそれに影響を及ぼす各部品の組付け精度について厳格な維持管理が求められるようになっている。
【先行技術文献】
【特許文献】
【０００６】
【特許文献１】国際公開第２０２０／１８９３１４号
【考案の概要】
【考案が解決しようとする課題】
【０００７】
しかしながら、特許文献１に記載の従来技術では、上側ハウジングの重心Ｇが支持ピンよりも後側に位置し、これによって上側ハウジングが下側ハウジングに対して９０度を超える角度で後側に回動するようになっているため（段落［００６２］、図９）、上側ハウジングを開いたときに、その衝撃が直接粉砕機に伝わって各部品が位置ずれを起こすおそれがあり、それが組付け精度に悪影響を及ぼすおそれがあった。
【０００８】
特に上側ハウジングの開閉操作を繰り返した場合にそのおそれが大きく、最終的に厳格な組付け精度の維持管理が困難になるおそれがあった。
【０００９】
本考案は、かかる課題を解決するためになされたものであり、上側ハウジングの開閉操作による各部品の組付け精度への悪影響を抑制することができる粉砕機を提供することを目的とする。
【課題を解決するための手段】
【００１０】
上記目的を達成するため、本考案は以下のように構成したことを特徴する。
すなわち、本考案は、
対象物を粉砕する粉砕機であって、
上側ハウジングと、前記上側ハウジングを開閉自在に支持する下側ハウジングと、前記下側ハウジングに回転自在に支持された回転軸と、前記上側ハウジングに配置された固定刃と、前記回転軸に装着され、前記固定刃と協働して対象物を粉砕する回転刃と、を備える本体部と、
前記本体部が載置されるベース部に設けられ、前記上側ハウジングを開いたときに該上側ハウジングを受け止める支持部と、
を備えることを特徴とする。
【００１１】
本考案によれば、本体部を載置するベース部に設けられた支持部によって上側ハウジングを受け止めることができるため、上側ハウジングを開いたときの衝撃が直接粉砕機に伝わりにくくなる。これにより、上側ハウジングの開閉操作を繰り返した場合でも、各部品が位置ずれしにくく、組付け精度への悪影響を抑制することができる。
【００１２】
本考案においては、その好適な実施態様の一つとして、前記支持部を支持棒で構成し、この支持棒の先端部に弾性部材が装着されていることが好ましい。これにより、上側ハウジングを開いたときの衝撃をさらに緩和することができる。
【００１３】
なお、本考案においては、固定刃を櫛歯状に形成するとともに、回転刃を櫛歯状の細粉砕回転刃及びそれよりも外周径の大きな粗粉砕回転刃という二種類の回転刃で構成することができる。この場合は、外周径の大きな粗粉砕回転刃によって対象物が相対的に粗く粉砕され、櫛歯状の固定刃と細粉砕回転刃とによって対象物が相対的に細かく粉砕されることになる。
【考案の効果】
【００１４】
以上のとおり、本考案によれば、本体部を載置するベース部に設けられた支持棒によって上側ハウジングを受け止めることができるため、上側ハウジングを開いたときの衝撃が直接粉砕機に伝わりにくく、粉砕機各部の組付け精度への悪影響を可及的に抑制することができる。
【図面の簡単な説明】
【００１５】
【図１】本考案の実施形態に係る粉砕機の正面図。
【図２】上記粉砕機の左側面図。
【図３】上記粉砕機の右側面図。
【図４】上記粉砕機の本体部の斜視図。
【図５】上側ハウジングを開いた状態の上記粉砕機の本体部の斜視図。
【図６】カバーケースの詳細を示す下側ハウジングの斜視図
【図７】粉砕機の本体部の断面図
【図８】上記粉砕機の上側ハウジングの開閉状態を示す左側面図。
【図９】図８の要部拡大図。
【図１０】変形例に係る粉砕機における上側ハウジングの開閉状態を示す左側面図。
【考案を実施するための形態】
【００１６】
以下、本考案の実施形態について図面に基づいて説明する。
【００１７】
図１は本考案の実施形態に係る粉砕機１０の正面図、図２は同粉砕機１０の左側面図、図３は同粉砕機１０の右側面図である。なお、以下では、図１を基準に前後方向、左右方向、及び上下方向を定める。すなわち、図１における正面側を「前側」と、背面側を「後側」とし、図１における正面と背面とを結ぶ方向を「前後方向」とする。また、図１における左右方向を以って以下の説明における左右方向とし、図１における上下方向を以って以下の説明における上下方向とする。
【００１８】
図１〜３に示すとおり、本実施形態に係る粉砕機１０は、樹脂成形によって生じたスプルー・ランナー等の対象物を粉砕する本体部１２と、本体部１２が載置される架台部１３（ベース部）と、本体部１２に対象物を投入する投入ホッパー１４と、本体部１２によって粉砕された粉砕済み対象物を回収する回収ホッパー１６とを備える。
【００１９】
本体部１２は、その外形がほぼ立方体状の筐体であって、上側ハウジング２０と、上側ハウジング２０が載置される下側ハウジング２２とから構成されている。本体部１２の構成は特許文献１に記載の粉砕機の本体部の構成と概ね同様であるため、ここでは主要部のみ説明する。
【００２０】
図４及び７に示すとおり、上側ハウジング２０は、その上面に投入ホッパー１４から投入された対象物を受け入れる入口２０ａを備える。下側ハウジング２２は、その下方に粉砕済み対象物を回収ホッパー１６に排出する出口２２ａを備える。
【００２１】
上側ハウジング２０は、下側ハウジング２２の後面側において左右方向に延びる支持ピン２４を中心に下側ハウジング２２に揺動自在に取り付けられている。これにより、本体部１２は開閉可能となっている。なお、図中、符号２６は上側ハウジング２０を開くときにユーザが掴むハンドルを示し、符号２８は上側ハウジング２０を閉じた状態で維持するためのロックレバーを示している。
【００２２】
上側ハウジング２０には、複数の固定刃３０が設けられている。各固定刃３０は、プレート状であって、その先端に櫛歯状の刃先を備える。各固定刃３０は、図示しないボルトによって上側ハウジング２０に着脱自在に固定されている。本実施形態においては、固定刃３０は入口２０ａを挟んで前後両側に設けられており、いずれの側にも回転軸３６の軸線方向（すなわち左右方向）に沿って３つの固定刃３０が設けられている。但し、後方側に設けられた固定刃３０は粉砕済み対象物が入口２０ａ側に戻らないようにするスクレーパとして機能する。
【００２３】
下側ハウジング２２には、回転軸３６が回転可能に支持されており、この回転軸３６に複数の細粉砕回転刃３２及び粗粉砕回転刃３４が固定されている。なお、これらの細粉砕回転刃３２及び粗粉砕回転刃３４は回転軸３６から取り外して分解清掃できるようになっている。
【００２４】
回転軸３６は、図１に示すように、右側端がモータユニット３８内のモータ（不図示）に駆動連結され、左側端がベアリングユニット４０内のベアリング（不図示）に支持されている。なお、モータユニット３８およびベアリングユニット４０は、下側ハウジング２２に取り付けられている。
【００２５】
複数の細粉砕回転刃３２は回転軸３６に設けられている。各細粉砕回転刃３２は概略円筒状であって、その外周面に周方向に一定の間隔で櫛歯状の多数の刃先を備える。各細粉砕回転刃３２の櫛歯状の刃先は、対応する固定刃３０の櫛歯状の刃先に噛み合う。これにより、回転軸３６が回転することで複数の細粉砕回転刃３２が一体的に回転し、互いに噛み合う固定刃３０の刃先と細粉砕回転刃３２の刃先が協働して、対象物を噛み込んで細かく粉砕するようになっている。
【００２６】
細粉砕回転刃３２によって細かく粉砕された対象物は、図７に示すように、回転する細粉砕回転刃３２によって押し進められることにより、固定刃３０の櫛歯状の刃先間を通過して、下側ハウジング２２の出口２２ａに向かって搬送される。そして、固定刃３０を通過した対象物は、自重によって細粉砕回転刃３２から離れ、出口２２ａを介して回収ホッパー１６内に落下する。
【００２７】
各粗粉砕回転刃３４は、図７に示すように、点対称な形状の２つの刃先を有し、細粉砕回転刃３２に比べて大きい外周径を備える。本実施形態では、２つの粗粉砕回転刃３４が回転軸３６に設けられている。各粗粉砕回転刃３４は、回転軸３６の軸線方向に沿って隣り合う２つの細粉砕回転刃３２の間に１つの粗粉砕回転刃３４が配置されるようになっている。これにより、複数の粗粉砕回転刃３４は、回転軸３６の軸線方向に隣り合う２つの固定刃３０の側部の間で回転する。
【００２８】
回転軸３６が回転することにより、複数の粗粉砕回転刃３４の刃先が、対象物を粗く粉砕する。具体的には、固定刃３０上にあって且つ固定刃３０の刃先と細粉砕回転刃３２の刃先とが噛み込むことができないサイズの対象物を、これらの刃先が噛み込むことができるサイズになるように、粗粉砕回転刃３４が粗く粉砕する。
【００２９】
粗粉砕回転刃３４によって粗く粉砕された対象物の一部は固定刃３０上に留まり、残りは粗粉砕回転刃３４によって下側ハウジング２２内に搬送される。この未だ十分に粉砕されていない対象物が出口２２ａを経て回収ホッパー１６に排出されないように、粗粉砕回転刃３４における出口２２ａ側の部分、すなわち粗粉砕回転刃３４の実質的に下側半分を覆うカバーケース４２が粉砕機１０の本体部１２に設けられている。
【００３０】
カバーケース４２は、回転軸３６の軸線方向視で、半円形状であり、下側ハウジング２２に着脱可能に設けられる。図７に示すように、回転する粗粉砕回転刃３４は、カバーケース４２の前側からそのカバーケース４２内に進入し、カバーケース４２の後側から退出する。カバーケース４２は、この粗粉砕回転刃３４の回転軌跡空間の下半分を覆うように構成されており、回転する粗粉砕回転刃３４の外周端は、カバーケース４２の底部に沿って移動する。なお、カバーケース４２は、その前後両側をカバーケース支持部材４４によって支持されている。
【００３１】
このようなカバーケース４２によれば、粗粉砕回転刃３４によって粉砕された対象物の一部は、回転する粗粉砕回転刃３４によってカバーケース４２内に進入するが、そのまま粗粉砕回転刃３４によって再びカバーケース４２から脱出し、固定刃３０の入口２０ａ側に戻される。そして、その戻された対象物は、固定刃３０と細粉砕回転刃３２とによって細かく粉砕される。
【００３２】
図５及び図７に示すように、上側ハウジング２０にも、粗粉砕回転刃３４の回転軌跡空間の一部を形成するように、一対の前側サイドガイド部２０ｂ及び一対の後側サイドガイド部２０ｃが設けられている。これら一対の前側サイドガイド部２０ｂ及び一対の後側サイドガイド部２０ｃで囲われた空間はそれぞれカバーケース４２内の空間と一体となって本体部１２における粗粉砕回転刃３４の回転軌跡空間を形成することになる。この結果、粗粉砕回転刃３４によって押し進められた対象物は、まず、一対の前側サイドガイド部２０ｂで囲われた空間に侵入し、次いでカバーケース４２内の空間に侵入した後、一対の後側サイドガイド部２０ｃで囲われた空間を経由して、再び入口２０ａ側に戻されることになる。
【００３３】
本体部１２の側部の左右両側には、上側ハウジング２０の下端の後側部分と下側ハウジング２２の上端の後側部分との間にユーザの指などの異物が侵入しないように、ガードプレート４６が設けられている。このガードプレート４６は、上側ハウジング２０を開いたときに、上側ハウジング２０と下側ハウジング２２との隙間を覆うことにより、この隙間への異物の侵入を防止するものである。
【００３４】
本実施形態においては、図８に示すように、本体部１２が全開状態であるとき（すなわち、上側ハウジング２０が下側ハウジング２２から離れる方向に最大限に旋回しているとき）、その上側ハウジング２０が下側ハウジング２２に向かって前側に自重によって倒れることを抑制するために、上側ハウジング２０の重心が支持ピン２４に対して後側に位置する。具体的には、上側ハウジング２０が、下側ハウジング２２に対して９０度を少し超える角度で、支持ピン２４を中心に後側に回動可能である。その結果、上側ハウジング２０全体が支持ピン２４に対して後側に位置する。
【００３５】
以上のように構成された粉砕機１０の本体部１２は、架台部１３上に載置され、図示しないボルト等で固定される。架台部１３には４本の脚部１３ａが設けられており、各脚部１３ａの下端には、粉砕機１０の移動が容易になるようにキャスター１３ｂが取り付けられている。
【００３６】
この架台部１３の後方側の位置で本体部１２の左右方向中央部付近の位置には、支持棒６０が立設されている。支持棒６０は、架台部１３上に螺合・溶接その他の手段により固定されており、その先端部（上端部）にはウレタンキャップ６０ａ（弾性部材）が取り付けられている。そして、上側ハウジング２０を開いたときに、この支持棒６０の先端部で上側ハウジング２０を受け止めることができるようになっている。この支持棒６０の先端部で受け止めた状態が上側ハウジング２０の全開状態となる。
【００３７】
本実施形態の粉砕機１０は以上のとおり構成されているため、上側ハウジング２０を開いたときの衝撃が直接粉砕機１０の本体部１２に伝わりにくく、上側ハウジング２０の開閉操作を繰り返した場合でも、各部品が位置ずれしにくい。このため、粉砕機１０各部の組付け精度への悪影響を抑制することができる。
【００３８】
《変形例》
次に上記実施形態の変形例について説明する。図１０は変形例に係る粉砕機の左側面図であり、上記実施形態に係る粉砕機１０の図８に相当するものである。なお、上記実施形態と同一ないし対応する部材には同一の符号を付して説明を書略する。
【００３９】
この変形例に係る粉砕機は、上側ハウジング２０の開閉操作を補助するために本体部１２にガススプリング７０が設けられている点でのみ上記実施形態に係る粉砕機１０と相違する。具体的には、ガススプリング７０は、上側ハウジング２０の回動中心である支持ピン２４の付近に設けられ、その一端が上側ハウジング２０側に、その他端が下側ハウジング２２側に取り付けられている。
【００４０】
粉砕機の構造上、上側ハウジング２０は非常に頑丈で重いため、その開閉操作には大きな力が必要となる。そこで、本変形例に係る粉砕機では上側ハウジング２０と下側ハウジング２２との間にガススプリング７０を設けて、上側ハウジング２０の開閉操作を補助するようにしたものである。なお、図１０では本体部１２の左側面しか示されていないが、ガススプリング７０は本体部１２の左右両側部に一つずつ設けられている。
【００４１】
かかる変形例においても、前記実施形態と同様、架台部１３の上部には支持棒６０が設けられている。これにより、上側ハウジング２０を開いたときの衝撃が直接粉砕機の本体部１２に伝わりにくく、上側ハウジング２０の開閉操作を繰り返した場合でも、各部品が位置ずれしにくく、組付け精度への悪影響を抑制することができる。
【００４２】
以上、本考案の実施形態及び変形例について説明したが、本考案は上記実施形態及び変形例に限られるものではない。上記実施形態及び変形例では、支持部を支持棒６０で構成したが、本考案における支持部は必ずしも棒状部材に限られるものではない。また、支持部を棒状部材で構成する場合であっても、かかる棒状部材は直線状である必要はなく、例えば屈曲していてもよい。上記実施形態及び変形例では、支持棒６０の先端部に弾性部材としてウレタンキャップ６０ａが装着されていたが、弾性部材の材質はウレタンである必要はなく、また、かかる弾性部材を装着するか否かも任意である。
【符号の説明】
【００４３】
１０        粉砕機
１２        本体部
１３        架台部（ベース部）
２０        上側ハウジング
２２        下側ハウジング
３０        固定刃
３２        細粉砕回転刃（回転刃）
３４        粗粉砕回転刃（回転刃）
３６        回転軸
６０        支持棒（支持部）
６０ａ    ウレタンキャップ（弾性部材）
【図１】
0003230098.tif 000003
【図２】
0003230098.tif 000004
【図３】
0003230098.tif 000005
【図４】
0003230098.tif 000006
【図５】
0003230098.tif 000007
【図６】
0003230098.tif 000008
【図７】
0003230098.tif 000009
【図８】
0003230098.tif 000010
【図９】
0003230098.tif 000011
【図１０】
0003230098.tif 000012